(57)【要約】【課題】  蛍光素子が凹面鏡に対して凹面鏡の光軸方向に位置ずれすることを抑制することができる蛍光装置を提供する。【解決手段】  蛍光装置においては、支持体は、凹面鏡の光軸方向と直交する第１方向に長尺に形成され、反射体に跨るように配置され、支持体の第１方向の端部は、それぞれ反射体に固定され、支持体は、蛍光素子が凹面鏡と対面するように、蛍光素子を内方側で支持し、支持体において、光軸方向の寸法は、光軸方向及び第１方向とそれぞれ直交する第２方向の寸法よりも、大きい。【選択図】  図２
2017188297.tif 000002
【特許請求の範囲】
【請求項１】
入射された励起光の少なくとも一部を蛍光に変換して出力する蛍光素子と、
前記蛍光素子から出力された光を反射する凹面鏡を内面に有する反射体と、
前記蛍光素子を支持する支持体と、を備え、
前記支持体は、前記凹面鏡の光軸方向と直交する第１方向に長尺に形成され、前記反射体に跨るように配置され、
前記支持体の前記第１方向の端部は、それぞれ前記反射体に固定され、
前記支持体は、前記蛍光素子が前記凹面鏡と対面するように、前記蛍光素子を内方側で支持し、
前記支持体において、前記光軸方向の寸法は、前記光軸方向及び前記第１方向とそれぞれ直交する第２方向の寸法よりも、大きい、蛍光装置。
【請求項２】
前記反射体は、前記凹面鏡で反射された光を外方に向けて出射するための出射開口を内部に有する開口端部を備え、
前記開口端部は、前記支持体の前記第１方向の端部がそれぞれ挿入される二つの凹部を備える、請求項１に記載の蛍光装置。
【請求項３】
前記蛍光素子で発生した熱を放出するために、前記支持体の外方側に連結される放熱部を備え、
前記反射体は、前記凹面鏡で反射された光が外方に出射するための出射開口を備え、
前記放熱部は、前記出射開口から出射された光が通過するための通過開口を備え、
前記凹面鏡は、楕円面鏡であって、
前記蛍光素子は、前記凹面鏡の焦点の位置に配置され、
前記通過開口は、前記出射開口よりも、小さい、請求項１又は２に記載の蛍光装置。
【請求項４】
前記蛍光素子に入射する励起光を出射する光源を備える請求項１〜３の何れか１項に記載の蛍光装置。
【発明の詳細な説明】
【技術分野】
【０００１】
本発明は、入射された励起光の少なくとも一部を蛍光に変換して出力する蛍光素子を備える蛍光装置に関する。
【背景技術】
【０００２】
従来、蛍光装置として、入射された励起光を蛍光に変換して出力する蛍光素子と、蛍光素子から出力された光を反射する凹面鏡を内面に有する反射体とを備える蛍光装置が、知られている（例えば、特許文献１）。ところで、蛍光素子が、凹面鏡に対して適切な位置（例えば、凹面鏡の焦点の位置）から位置ずれした場合には、反射体から外方に出射された光は、所望の光とならない。
【先行技術文献】
【特許文献】
【０００３】
【特許文献１】特開２００３−２９５３１９号公報
【発明の概要】
【発明が解決しようとする課題】
【０００４】
そこで、課題は、蛍光素子が凹面鏡に対して凹面鏡の光軸方向に位置ずれすることを抑制することができる蛍光装置を提供することである。
【課題を解決するための手段】
【０００５】
蛍光装置は、入射された励起光の少なくとも一部を蛍光に変換して出力する蛍光素子と、前記蛍光素子から出力された光を反射する凹面鏡を内面に有する反射体と、前記蛍光素子を支持する支持体と、を備え、前記支持体は、前記凹面鏡の光軸方向と直交する第１方向に長尺に形成され、前記反射体に跨るように配置され、前記支持体の前記第１方向の端部は、それぞれ前記反射体に固定され、前記支持体は、前記蛍光素子が前記凹面鏡と対面するように、前記蛍光素子を内方側で支持し、前記支持体において、前記光軸方向の寸法は、前記光軸方向及び前記第１方向とそれぞれ直交する第２方向の寸法よりも、大きい。
【０００６】
また、蛍光装置においては、前記反射体は、前記凹面鏡で反射された光を外方に出射するための出射開口を内部に有する開口端部を備え、前記開口端部は、前記支持体の前記第１方向の端部がそれぞれ挿入される二つの凹部を備える、という構成でもよい。
【０００７】
また、蛍光装置は、前記蛍光素子で発生した熱を放出するために、前記支持体の外方側に連結される放熱部を備え、前記反射体は、前記凹面鏡で反射された光が外方に出射するための出射開口を備え、前記放熱部は、前記出射開口から出射された光が通過するための通過開口を備え、前記凹面鏡は、楕円面鏡であって、前記蛍光素子は、前記凹面鏡の焦点の位置に配置され、前記通過開口は、前記出射開口よりも、小さい、という構成でもよい。
【０００８】
また、蛍光装置は、前記蛍光素子に入射する励起光を出射する光源を備える、という構成でもよい。
【発明の効果】
【０００９】
以上の如く、蛍光装置は、蛍光素子が凹面鏡に対して凹面鏡の光軸方向に位置ずれすることを抑制することができる、という優れた効果を奏する。
【図面の簡単な説明】
【００１０】
【図１】一実施形態に係る蛍光装置の全体概要図であって、一部断面を示す内視図である。
【図２】同実施形態に係る蛍光装置の要部斜視図である。
【図３】同実施形態に係る蛍光装置の要部図であって、図２のIII−III線断面図である。
【図４】同実施形態に係る蛍光装置の要部図であって、図３のIV−IV線断面図である。
【図５】同実施形態に係る蛍光装置の作用を説明する図であって、要部横断面図である。
【図６】同実施形態に係る蛍光装置の作用を説明する図であって、要部縦断面図である。
【図７】同実施形態に係る反射体の製造方法を説明する図である。
【発明を実施するための形態】
【００１１】
以下、蛍光装置における一実施形態について、図１〜図７を参酌して説明する。なお、各図において、図面の寸法比と実際の寸法比とは、必ずしも一致しておらず、また、各図面の間での寸法比も、必ずしも一致していない。
【００１２】
図１に示すように、本実施形態に係る蛍光装置１は、励起光を出射する光源２と、光源２から出射された光が入射される光学系３と、光学系３から出射された光が入射される蛍光素子４とを備えている。また、蛍光装置１は、蛍光素子４から出力された光を反射する凹面鏡５１を内面に有する反射体５と、蛍光素子４を支持する支持体６とを備えている。
【００１３】
蛍光装置１は、光源２、光学系３、蛍光素子４、反射体５、及び支持体６を収容する第１の筐体７と、第１の筐体７を収容する第２の筐体８とを備えている。そして、第２の筐体８は、光ファイバ１００の端部を接続するファイバ接続部８１を備えており、凹面鏡５１で反射された光は、光ファイバ１００の端面１００ａに入射される。
【００１４】
なお、図１（図２以降も同様）において、第１方向Ｄ１は、凹面鏡５１の光軸方向Ｄ３と直交する方向であり、第２方向Ｄ２は、凹面鏡５１の光軸方向Ｄ３と第１方向Ｄ１とそれぞれ直交する方向である。また、以下、単に「光軸方向」という場合は、凹面鏡５１の光軸方向Ｄ３を指し、また、「第３方向」ともいう。
【００１５】
光源２は、本実施形態においては、複数（図１においては４つ図示している）備えられている。そして、光源２は、発光する発光素子２１と、発光素子２１から発せられた発散する光が入射され、該光を平行光として出射するコリメートレンズ２２とを備えている。
【００１６】
本実施形態においては、発光素子２１は、半導体レーザとしている。具体的には、発光素子２１は、発光部（エミッタ）を一つ有するＣＡＮタイプ（シングルエミッタタイプ）の半導体レーザとしている。なお、発光素子２１は、複数の発光部を有するアレイタイプの半導体レーザでもよく、また、ＬＥＤでもよい。また、本実施形態においては、発光素子２１は、青色光（例えば、波長が４００〜４７０ｎｍの光）を発している。
【００１７】
光学系３は、光源２から出射された光を反射するミラー３１と、光源２から出射された光を集束させる集光レンズ３２と、集光レンズ３２から出射された光を均一化させて蛍光素子４に入射させる拡散板３３とを備えている。そして、光学系３を出射した光は、均一集光されて（例えば、ビーム径が０．７ｍｍ程度にされて）、蛍光素子４に入射される。これにより、蛍光素子４での温度消光を抑制できたり、蛍光素子４の熱に起因する破損等を抑制できたりする。
【００１８】
蛍光素子４は、励起光を蛍光に変換する蛍光体を有している。本実施形態においては、蛍光体は、ＹＡＧ系の結晶材料で形成されており、光源２の発光素子２１から発せられた励起光である青色光を、黄緑色の蛍光（例えば、波長が５２５〜５７５ｎｍにピークを持ち、４５０〜８００ｎｍにかけた広い可視域のスペクトルを持った光）に変換する。なお、蛍光素子４の形状（第１方向Ｄ１及び第２方向Ｄ２の寸法）は、入射される光の形状（ビーム径）よりも、大きくなっている。
【００１９】
そして、蛍光素子４は、入射された励起光の一部を、蛍光体で蛍光に変換している。したがって、蛍光素子４から出力された光は、蛍光素子４で変換された蛍光と、蛍光素子４で変換されなかった未変換光（励起光のままの光）とを含んでいる。本実施形態においては、蛍光素子４から出力された光は、蛍光である黄緑色光と未変換光である青色光とが合成されて、白色光となる。
【００２０】
図１〜図４に示すように、反射体５は、半球状に形成されており、光を反射する凹面鏡５１を内面に備えている。また、反射体５は、蛍光素子４に向けて光が入射するための入射開口５２ａを内部に有する頂口部５２と、凹面鏡５１で反射された光が外方に向けて出射するための出射開口５３ａを内部に有する開口端部５３とを備えている。
【００２１】
凹面鏡５１は、本実施形態においては、楕円面鏡である。また、反射体５は、例えば、半球状のガラスの内面に、凹面鏡５１となる誘電体多層膜、アルミ膜、銀膜等を設けることで、形成されている。なお、反射体５は、全体的に、アルミや銀等から形成されていてもよい。
【００２２】
支持体６は、蛍光素子４が凹面鏡５１と対面するように、蛍光素子４を光軸方向Ｄ３の内方側６１で支持している。そして、蛍光素子４は、凹面鏡５１の第１の焦点の位置に配置されている。なお、ファイバ接続部８１に接続されている光ファイバ１００の端面１００ａが、凹面鏡５１の第２の焦点の位置に配置されているため、蛍光素子４から出力された光は、凹面鏡５１で反射され、光ファイバ１００の端面１００ａに集光される。
【００２３】
支持体６は、第１方向Ｄ１に長尺に形成されている。本実施形態においては、支持体６は、長尺な平板状に形成されている。そして、支持体６は、反射体５に跨るように配置され、支持体６の第１方向Ｄ１の端部６２，６２は、それぞれ反射体５に固定されている。具体的には、支持体６は、反射体５の開口端部５３に跨るように配置され、支持体６の第１方向Ｄ１の端部６２，６２は、それぞれ反射体５の開口端部５３に固定されている。
【００２４】
なお、開口端部５３は、二つの凹部５３ｂ，５３ｂを備えており、支持体６の第１方向Ｄ１の端部６２，６２は、それぞれ凹部５３ｂに挿入されている。なお、凹部５３ｂは、第１方向Ｄ１で、反射体５の内面から外面まで貫通している。
【００２５】
そして、支持体６の第１方向Ｄ１の端部６２は、固定手段１１により、反射体５に固定されている。本実施形態においては、支持体６の端部６２と固定手段１１とが、反射体５の開口端部５３を挟持することにより、支持体６の端部６２は、反射体５の開口端部５３に固定されている。なお、固定手段１１は、接着剤でもよい。
【００２６】
支持体６の光軸方向Ｄ３の寸法は、支持体６の第２方向Ｄ２の寸法よりも、大きくなっている。例えば、支持体６の光軸方向Ｄ３の寸法は、支持体６の第２方向Ｄ２の寸法の２倍以上であることが好ましく、また、支持体６の第２方向Ｄ２の寸法の３倍以上であることがより好ましい。本実施形態においては、支持体６の第１方向Ｄ１の寸法は、８０ｍｍであり、支持体６の第２方向Ｄ２の寸法は、１４ｍｍであり、支持体６の光軸方向（第３方向）Ｄ３の寸法は、４ｍｍである。
【００２７】
第１の筐体７は、支持体６の開口端部５３と対面する位置に、蛍光素子４で発生した熱を放出するための放熱部７１を備えている。そして、放熱部７１は、平板状に形成されており、光軸方向Ｄ３と直交するように配置されている。また、放熱部７１は、支持体６の光軸方向Ｄ３の外方側６３に連結されている。具体的には、放熱部７１は、支持体６の、第１方向Ｄ１の端部６２側で且つ光軸方向Ｄ３の外方側６３に連結されている。
【００２８】
支持体６は、熱伝導率が反射体５の熱伝導率よりも大きく、遮光性を有している。例えば、支持体６は、アルミ等の金属で形成されている。なお、支持体６は、透光性を有していてもよく、例えば、酸化アルミニウム（通称、アルミナ）で形成されていてもよい。また、放熱部７１は、熱伝導率が反射体５の熱伝導率よりも大きく、遮光性を有している。例えば、支持体６は、アルミ等の金属で形成されている。
【００２９】
支持体６の光軸方向Ｄ３の外方側６３は、支持体６の開口端部５３から光軸方向Ｄ３に突出している。これにより、放熱部７１は、反射体５と、光軸方向Ｄ３で離間している。なお、支持体６は、固定手段１２により、放熱部７１と固定されている。また、反射体５は、位置決め手段１３により、放熱部７１に対して第１方向Ｄ１及び第２方向Ｄ２の位置決めをされている。
【００３０】
放熱部７１は、反射体５の出射開口５３ａから出射された光が通過するための通過開口７１ａを備えている。なお、第１の筐体７は、通過開口７１ａを覆うように、反射体５の出射開口５３ａから出射された光を透過する透光部７２を備えている。
【００３１】
放熱部７１の通過開口７１ａは、反射体５の出射開口５３ａよりも、小さくなっている。具体的には、通過開口７１ａの第１方向Ｄ１の寸法は、出射開口５３ａの第１方向Ｄ１の寸法よりも、小さく、そして、通過開口７１ａの第２方向Ｄ２の寸法は、出射開口５３ａの第２方向Ｄ２の寸法よりも、小さくなっている。
【００３２】
本実施形態に係る蛍光装置１の構成については以上の通りであり、次に、本実施形態に係る蛍光装置１の作用について、図２〜図６を参酌して説明する。
【００３３】
例えば、蛍光素子４の発熱（又は、発熱の停止）により、支持体６の温度が上昇（又は、下降）した場合には、支持体６は、熱膨張（又は、熱収縮）することがある。この場合には、蛍光素子４は、凹面鏡５１に対して変位することがある。また、例えば、支持体６が反射体５に固定される際に、不要な負荷が支持体６に付与された場合には、支持体６は、僅かに変形して、反射体５に固定されることがある。この場合には、蛍光素子４は、凹面鏡５１に対して所望の位置から位置ずれして配置されることがある。
【００３４】
そこで、図２〜図４に示すように、支持体６の光軸方向Ｄ３の寸法は、支持体６の第２方向Ｄ２の寸法よりも、大きくなっている。これにより、支持体６においては、光軸方向Ｄ３の強度が、第２方向Ｄ２の強度よりも大きくなるため、蛍光素子４が光軸方向Ｄ３で凹面鏡５１の焦点の位置から位置ずれすることを抑制することができる。
【００３５】
なお、蛍光素子４の第２方向Ｄ２の寸法は、入射される光の形状（ビーム径）よりも、大きくなっている。これにより、蛍光素子４が凹面鏡５１に対して第２方向Ｄ２に位置ずれしても、蛍光素子４は、凹面鏡５１の焦点の位置に配置されている。このように、凹面鏡５１に対して蛍光素子４を適切な位置に配置することができる。
【００３６】
また、支持体６が遮光性を有しているため、凹面鏡５１で反射されて支持体６に入射した光は、損失となる。即ち、支持体６は、出射開口５３ａの有効領域（光が出射できる領域）を小さくさせている。そこで、支持体６の第２方向Ｄ２の寸法は、支持体６の光軸方向Ｄ３の寸法よりも、小さくなっている。これにより、支持体６が出射開口５３ａの有効領域を小さくさせることを抑制することができている。
【００３７】
しかも、支持体６の光軸方向Ｄ３の寸法が、支持体６の第２方向Ｄ２の寸法よりも、大きくなっているため、支持体６の表面積が小さくなることを抑制できている。これにより、支持体６自身の放熱性能を低下することを抑制できている。したがって、出射開口５３ａの有効領域が小さくなることを抑制しつつも、支持体６から直接的に放熱する性能（支持体６自身の放熱性能）が低下することも抑制することができている。
【００３８】
また、図５に示すように、放熱部７１は、支持体６の、第１方向Ｄ１の端部６２側で且つ光軸方向Ｄ３の外方側６３に連結されている。そして、放熱部７１の通過開口７１ａは、反射体５の出射開口５３ａよりも小さくなっている。これにより、蛍光素子４から放熱部７１への熱伝導経路Ｒ１は、支持体６の第１方向Ｄ１の端面６４から放熱する熱伝導経路Ｒ２よりも、短い。
【００３９】
具体的には、以下の式を満たしている。
・  経路Ｒ１の距離  ＜  経路Ｒ２の距離
・  経路Ｒ１の距離  ＝
｛（支持体６の光軸方向Ｄ３の寸法）２＋（通過開口７１ａの半径）２｝１／２
・  経路Ｒ２の距離  ＝  （支持体６の第１方向Ｄ１の寸法）／２
したがって、放熱効率を向上させることができている。
【００４０】
また、図６に示すように、凹面鏡５１は、楕円面鏡であり、蛍光素子４は、凹面鏡５１の第１焦点（凹面鏡５１に近い方の焦点）に配置されており、光ファイバ１００の端面１００ａは、凹面鏡５１の第２焦点（凹面鏡５１から遠い方の焦点）に配置されている。斯かる構成によれば、蛍光素子４から出力された光は、凹面鏡５１で反射され、光ファイバ１００の端面１００ａに向けて集光される。
【００４１】
これにより、凹面鏡５１で反射された光が通過する領域においては、通過開口７１ａでの領域は、出射開口５３ａでの領域よりも、小さくなる。したがって、通過開口７１ａが出射開口５３ａより小さくても、出射開口５３ａから出射された光は、放熱部７１で遮光されることなく、通過開口７１ａを通過する。よって、光効率を低下することを防止することができている。
【００４２】
次に、本実施形態に係る反射体５の製造方法について、図７を参酌して説明する。
【００４３】
図７に示すように、反射体５の原型である反射体原型１５を製造する装置は、凸状の第１型１６と、凹状の第２型１７と、環状の第３型１８とを備えている。なお、第１型１６及び第３型１８は、第２型１７に対して、個別に移動することができる。
【００４４】
第１型１６は、反射体原型１５の内面１５ａを形成する凸状の内面形成部１６ａと、反射体原型１５に、反射体５の凹部５３ｂとなる凹部１５ｂを形成すべく、内面形成部１６ａから突出する凹部形成部１６ｂとを備えている。第２型１７は、反射体原型１５の外面１５ａを形成する凹状の外面形成部１７ａを備えている。
【００４５】
まず、図７（ａ）に示すように、材料（例えば、ガラスゴブ）が、第２型１７の内部に供給される。そして、図７（ｂ）に示すように、反射体原型１５が、第１型１６と第２型１７との間で、型成形される。その後、図７（ｃ）に示すように、反射体原型１５の先端部（図７（ｃ）の破線部よりも下方側）が除去され、反射体原型１５の内面に、凹面鏡５１となる処理が施されることで、反射体５が製造される。
【００４６】
このように、反射体原型１５の内面１５ａと凹部１５ｂとは、第１型１６で形成される。これにより、例えば、反射体原型１５の型形成時に、第１型１６と第２型１７との間の距離が、製造誤差等で、変化した場合には、反射体原型１５の厚みは、変化してしまうが、内面１５ａと凹部１５ｂとの位置関係は、変化せずに、一定となる。
【００４７】
これにより、反射体５の凹面鏡５１と凹部５３ｂとの位置関係も、当然に、一定となる。そして、蛍光素子４は、反射体５の凹部５３ｂに位置決めされた支持体６に支持されているため、反射体５の凹面鏡５１に対して、一定の位置、即ち、所望の位置に配置されることになる。なお、反射体５の製造方法は、斯かる方法に限られない。
【００４８】
以上より、本実施形態に係る蛍光装置１は、入射された励起光の少なくとも一部を蛍光に変換して出力する蛍光素子４と、前記蛍光素子４から出力された光を反射する凹面鏡５１を内面に有する反射体５と、前記蛍光素子４を支持する支持体６と、を備え、前記支持体６は、前記凹面鏡５１の光軸方向Ｄ３と直交する第１方向Ｄ１に長尺に形成され、前記反射体５に跨るように配置され、前記支持体６の前記第１方向Ｄ１の端部６２，６２は、それぞれ前記反射体５に固定され、前記支持体６は、前記蛍光素子４が前記凹面鏡５１と対面するように、前記蛍光素子４を内方側６１で支持し、前記支持体６において、前記光軸方向Ｄ３の寸法は、前記光軸方向Ｄ３及び前記第１方向Ｄ１とそれぞれ直交する第２方向Ｄ２の寸法よりも、大きい。
【００４９】
斯かる構成によれば、支持体６は、光軸方向Ｄ３と直交する第１方向Ｄ１に長尺に形成され、反射体５に跨るように配置されており、支持体６の第１方向Ｄ１の端部６２，６２は、それぞれ反射体５に固定されている。そして、支持体６が、蛍光素子４を内方側６１で支持しているため、蛍光素子４は、凹面鏡５１と対面している。
【００５０】
ところで、支持体６において、光軸方向Ｄ３の寸法は、光軸方向Ｄ３及び第１方向Ｄ１とそれぞれ直交する第２方向Ｄ２の寸法よりも、大きくなっている。これにより、支持体６においては、光軸方向Ｄ３の強度は、第２方向Ｄ２の強度よりも大きくなる。したがって、蛍光素子４が凹面鏡５１に対して光軸方向Ｄ３に位置ずれすることを抑制することができる。
【００５１】
また、本実施形態に係る蛍光装置１においては、前記反射体５は、前記凹面鏡５１で反射された光を外方に出射するための出射開口５３ａを内部に有する開口端部５３を備え、前記開口端部５３は、前記支持体６の前記第１方向Ｄ１の端部６２がそれぞれ挿入される二つの凹部５３ｂを備える、という構成である。
【００５２】
斯かる構成によれば、反射体５は、凹面鏡５１で反射された光を外方に出射するための出射開口５３ａを内部に有する開口端部５３を備えている。そして、開口端部５３は、二つの凹部５３ｂ，５３ｂを備えており、二つの凹部５３ｂ，５３ｂは、支持体６の第１方向Ｄ１の端部６２がそれぞれ挿入されている。これにより、例えば、支持体６を反射体５に対して容易に位置決めすることができる。
【００５３】
また、本実施形態に係る蛍光装置１は、前記蛍光素子４で発生した熱を放出するために、前記支持体６の外方側６３に連結される放熱部７１を備え、前記反射体５は、前記凹面鏡５１で反射された光が外方に出射するための出射開口５３ａを備え、前記放熱部７１は、前記出射開口５３ａから出射された光が通過するための通過開口７１ａを備え、前記凹面鏡５１は、楕円面鏡であって、前記蛍光素子４は、前記凹面鏡５１の焦点の位置に配置され、前記通過開口７１ａは、前記出射開口５３ａよりも、小さい、という構成である。
【００５４】
斯かる構成によれば、放熱部７１は、支持体６の外方側６３に連結され、蛍光素子４で発生した熱を放出している。そして、凹面鏡５１で反射された光は、反射体５の出射開口５３ａから、反射体５の外方に出射され、その後、出射開口５３ａから出射された光は、放熱部７１の通過開口７１ａを通過する。ところで、通過開口７１ａは、出射開口５３ａよりも、小さい。これにより、例えば、蛍光素子４から放熱部７１への熱伝導経路Ｒ１が短くなるため、放熱効率を向上させることができる。
【００５５】
また、凹面鏡５１は、楕円面鏡であって、蛍光素子４は、凹面鏡５１の焦点の位置に配置されている。これにより、出射開口５３ａから出射された光は、凹面鏡５１のもう一つの焦点に向けて集光する。したがって、通過開口７１ａが出射開口５３ａより小さくても、出射開口５３ａから出射された光は、放熱部７１で遮光されることなく、通過開口７１ａを通過する。よって、光効率を低下することを防止することができる。
【００５６】
また、本実施形態に係る蛍光装置１は、前記蛍光素子４に入射する励起光を出射する光源２を備える、という構成である。
【００５７】
なお、蛍光装置は、上記した実施形態の構成に限定されるものではなく、また、上記した作用効果に限定されるものではない。また、蛍光装置は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５８】
上記実施形態に係る蛍光装置１においては、反射体５は、出射開口５３ａとは別の入射開口５２ａを備える、という構成である。しかしながら、蛍光装置は、斯かる構成に限られない。例えば、反射体５は、入射開口５２ａを、出射開口５３ａと兼用する、という構成でもよい。斯かる構成によれば、光源２から出射された光は、出射開口５３ａを通過して凹面鏡５１で反射された後に蛍光素子４に入射され、そして、蛍光素子４から出力された光は、凹面鏡５１で反射された後に出射開口５３ａを通過して出射される。
【００５９】
また、上記実施形態に係る蛍光装置１においては、反射体５の開口端部５３は、第１方向Ｄ１で反射体５の内面から外面まで貫通する凹部５３ｂを備えている、という構成である。しかしながら、蛍光装置は、斯かる構成に限られない。例えば、開口端部５３は、凹部５３ｂを備えていない、という構成でもよい。また、例えば、凹部５３ｂは、第１方向Ｄ１で反射体５の内面から外面まで貫通することなく、反射体５の内面側に部分的に配置される、という構成でもよい。
【００６０】
また、上記実施形態に係る蛍光装置１においては、放熱部７１は、支持体６の光軸方向Ｄ３の外方側６３に連結される、という構成である。しかしながら、蛍光装置は、斯かる構成に限られない。例えば、放熱部７１は、支持体６の第１方向Ｄ１の端面６４に連結される、という構成でもよい。また、例えば、放熱部７１は、備えられておらず、支持体６は、蛍光素子４で発生した熱を全て外気に放出する、という構成でもよい。
【００６１】
また、上記実施形態に係る蛍光装置１においては、凹面鏡５１は、楕円面鏡である、という構成である。しかしながら、蛍光装置は、斯かる構成に限られない。例えば、凹面鏡５１は、球面鏡である、という構成でもよく、また、放物面鏡である、という構成でもよい。
【００６２】
また、上記実施形態に係る蛍光装置１においては、蛍光素子４は、入射された光の一部を蛍光に変換する、という構成である。しかしながら、蛍光装置は、斯かる構成に限られない。例えば、蛍光素子４は、入射された光の全部を蛍光に変換する、という構成でもよい。
【符号の説明】
【００６３】
１…蛍光装置、２…光源、３…光学系、４…蛍光素子、５…反射体、６…支持体、７…第１の筐体、８…第２の筐体、１１…固定手段、１２…固定手段、１３…位置決め手段、１５…反射体原型、１５ａ…内面、１５ｂ…凹部、１５ｃ…外面、１６…第１型、１６ａ…内面形成部、１６ｂ…凹部形成部、１７…第２型、１７ａ…外面形成部、１８…第３型、２１…発光素子、２２…コリメートレンズ、３１…ミラー、３２…集光レンズ、３３…拡散板、５１…凹面鏡、５２…頂口部、５２ａ…入射開口、５３…開口端部、５３ａ…出射開口、５３ｂ…凹部、６１…内方側、６２…端部、６３…外方側、６４…端面、７１…放熱部、７１ａ…通過開口、７２…透光部、８１…ファイバ接続部、１００…光ファイバ、１００ａ…端面、Ｄ１…第１方向、Ｄ２…第２方向、Ｄ３…光軸方向（第３方向）
【図１】
2017188297.tif 000003
【図２】
2017188297.tif 000004
【図３】
2017188297.tif 000005
【図４】
2017188297.tif 000006
【図５】
2017188297.tif 000007
【図６】
2017188297.tif 000008
【図７】
2017188297.tif 000009